【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
載置部に載置された記録材を給送する給送部材と、
前記給送部材によって給送された記録材を搬送する搬送部材と、
前記搬送部材とニップ部を形成し、前記ニップ部において複数の記録材を分離する分離部材と、を有する給送装置において、
給送する記録材の種類が第１の種類である場合、前記給送部材による給送動作を制御して、前記載置部に載置された第１の記録材を給送させ、前記第１の記録材の後端が前記ニップ部を通過する前に、前記第１の記録材の次に給送される第２の記録材が前記第１の記録材と一部重なるように、前記載置部に載置された前記第２の記録材を所定の距離給送させ、
給送する記録材の種類が前記第１の種類よりも薄い第２の種類である場合、前記給送部材による給送動作を制御して、前記載置部に載置された第１の記録材を給送させ、前記第１の記録材の後端が前記ニップ部を通過した後に、前記第１の記録材の次に給送される第２の記録材の先端が前記ニップ部を通過するように、前記載置部に載置された前記第２の記録材を給送させる制御手段を有することを特徴とする給送装置。
【請求項２】
前記搬送部材によって搬送された記録材を搬送する第２の搬送部材を有し、
給送する記録材の種類が前記第１の種類である場合、前記制御手段は、前記第１の記録材の先端が前記第２の搬送部材に到達した後であって、前記第１の記録材の後端が前記給送部材を通過するよりも前に、前記給送部材の駆動を停止させ、前記第２の搬送部材によって搬送された前記第１の記録材の後端が前記給送部材を通過した後に、再び前記給送部材の駆動を開始させ、前記第２の記録材を前記所定の距離給送させることを特徴とする請求項１に記載の給送装置。
【請求項３】
前記搬送部材によって搬送された記録材を搬送する第２の搬送部材を有し、
給送する記録材の種類が前記第１の種類である場合、前記制御手段は、前記第１の記録材の先端が前記第２の搬送部材に到達した後であって、前記第１の記録材の後端が前記給送部材を通過するよりも前には、前記給送部材の駆動を停止させることなく、前記第２の搬送部材によって搬送された前記第１の記録材の後端が前記給送部材を通過した後も、前記給送部材の駆動を継続させ、前記第２の記録材を前記所定の距離給送させることを特徴とする請求項１に記載の給送装置。
【請求項４】
前記所定の距離とは、前記載置部に載置された記録材の先端位置から前記ニップ部までの距離よりも短いことを特徴とする請求項２または３に記載の給送装置。
【請求項５】
前記所定の距離とは、前記載置部に載置された記録材の先端位置から前記ニップ部までの距離よりも長く、前記ニップ部から前記第２の搬送部材までの距離よりも短いことを特徴とする請求項２または３に記載の給送装置。
【請求項６】
給送する記録材の種類が前記第１の種類である場合、前記制御手段は、前記給送部材によって前記第２の記録材を前記所定の距離給送させた後、前記第１の記録材の後端と前記第２の記録材の先端が離れるように、少なくとも前記給送部材による前記第２の記録材の給送動作を停止させ、前記第２の搬送部材によって前記第１の記録材を搬送させることを特徴とする請求項２乃至５のいずれか１項に記載の給送装置。
【請求項７】
超音波を送信する送信部と、
前記送信部によって送信され、記録材を介した超音波を受信する受信部と、を有し、
前記制御手段は、前記受信部によって受信された前記超音波に基づいて、記録材の種類が前記第１の種類か前記第２の種類かを判断することを特徴とする請求項１乃至６のいずれか１項に記載の給送装置。
【請求項８】
給送する記録材の種類が前記第１の種類であって、ジョブの最後の記録材を給送する場合、前記制御手段は、前記最後の記録材の後端が前記給送部材を通過する前に、前記給送部材の駆動を停止させ、
給送する記録材の種類が前記第１の種類であって、ジョブの最後ではない前記第１の記録材を給送する場合、前記制御手段は、前記第１の記録材の後端が前記給送部材を通過した後に、前記給送部材を駆動させ、前記第２の記録材を前記所定の距離給送させることを特徴とする請求項１乃至７のいずれか１項に記載の給送装置。
【請求項９】
載置部に載置された記録材を給送する給送部材と、
前記給送部材によって給送された記録材を搬送する第１の搬送部材と、
前記搬送部材とニップ部を形成し、前記ニップ部において複数の記録材を分離する分離部材と、
前記第１の搬送部材によって搬送された記録材を搬送する第２の搬送部材と、を有する給送装置において、
前記給送部材による給送動作を制御して、前記載置部に載置された第１の記録材を給送させ、前記第１の記録材の後端が前記ニップ部を通過する前に、前記第１の記録材の次に給送される第２の記録材が前記第１の記録材と一部重なった状態で、前記第２の記録材の先端が前記ニップ部を通過するように、前記載置部に載置された前記第２の記録材を給送させ、
前記第２の記録材の先端が前記ニップ部を通過して前記第２の記録材の先端が前記第２の搬送部材に到達する前に、前記第１の記録材の後端と前記第２の記録材の先端が離れるように、前記給送部材と前記第１の搬送部材による前記第２の記録材の給送動作を停止させ、前記第２の搬送部材によって前記第１の記録材を搬送させる制御手段を有することを特徴とする給送装置。
【請求項１０】
前記制御手段は、前記第１の記録材の先端が前記第２の搬送部材に到達した後であって、前記第１の記録材の後端が前記給送部材を通過するよりも前に、前記給送部材の駆動を停止させ、前記第２の搬送部材によって搬送された前記第１の記録材の後端が前記給送部材を通過した後に、再び前記給送部材の駆動を開始させ、前記第２の記録材を給送させることを特徴とする請求項９に記載の給送装置。
【請求項１１】
前記制御手段は、前記第１の記録材の先端が前記第２の搬送部材に到達した後であって、前記第１の記録材の後端が前記給送部材を通過するよりも前には、前記給送部材の駆動を停止させることなく、前記第２の搬送部材によって搬送された前記第１の記録材の後端が前記給送部材を通過した後も、前記給送部材の駆動を継続させ、前記第２の記録材を給送させることを特徴とする請求項９に記載の給送装置。
【請求項１２】
ジョブの最後の記録材を給送する場合、前記制御手段は、前記最後の記録材の後端が前記給送部材を通過する前に、前記給送部材の駆動を停止させ、
ジョブの最後ではない前記第１の記録材を給送する場合、前記制御手段は、前記第１の記録材の後端が前記給送部材を通過した後に、前記給送部材を駆動させ、前記第２の記録材を給送させることを特徴とする請求項９乃至１１のいずれか１項に記載の給送装置。
【請求項１３】
前記給送部材、前記第１の搬送部材、前記第２の搬送部材を駆動するモータと、前記モータからの駆動力を前記給送部材と前記第１の搬送部材に対して伝達または遮断する電磁クラッチを有し、
前記制御手段は、前記第２の記録材の先端が前記ニップ部を通過して前記第２の記録材の先端が前記第２の搬送部材に到達する前に、前記電磁クラッチによって前記モータからの前記駆動力を前記給送部材と前記第１の搬送部材に対して遮断させ、前記モータによって前記第２の搬送部材を駆動させることを特徴とする請求項９乃至１１のいずれか１項に記載の給送装置。
【請求項１４】
前記第２の搬送部材によって搬送された記録材の先端を検知する検知手段を有し、
前記制御手段は、前記検知手段によって前記第１の記録材の先端を検知したタイミングに基づいて、前記給送部材の駆動を停止または開始するタイミングを変更することを特徴とする請求項２乃至１３のいずれか１項に記載の給送装置。
【請求項１５】
前記給送部材によって前記第１の記録材が前記ニップ部に給送された場合、前記分離部材は前記第１の記録材によって所定の方向へ回転させられ、
前記第１の記録材が前記ニップ部に挟まれている状態で、前記給送部材によって前記第２の記録材が前記ニップ部に給送された場合、前記分離部材は前記第２の記録材によって前記所定の方向へ回転させられ、
前記第１の記録材と前記第２の記録材が前記ニップ部に挟まれている状態で、前記第２の記録材の下位の第３の記録材が前記ニップ部に給送された場合、前記分離部材は前記第３の記録材の給送を妨げるように、回転を停止又は前記所定の方向とは反対の方向へ回転することを特徴とする請求項１乃至１４のいずれか１項に記載の給送装置。
【手続補正２】
【補正対象書類名】明細書
【補正対象項目名】０００６
【補正方法】変更
【補正の内容】
【０００６】
上記の目的を達成するための本発明の給送装置は、載置部に載置された記録材を給送する給送部材と、前記給送部材によって給送された記録材を搬送する搬送部材と、前記搬送部材とニップ部を形成し、前記ニップ部において複数の記録材を分離する分離部材と、を有する給送装置において、給送する記録材の種類が第１の種類である場合、前記給送部材による給送動作を制御して、前記載置部に載置された第１の記録材を給送させ、前記第１の記録材の後端が前記ニップ部を通過する前に、前記第１の記録材の次に給送される第２の記録材が前記第１の記録材と一部重なるように、前記載置部に載置された前記第２の記録材を所定の距離給送させ、給送する記録材の種類が前記第１の種類よりも薄い第２の種類である場合、前記給送部材による給送動作を制御して、前記載置部に載置された第１の記録材を給送させ、前記第１の記録材の後端が前記ニップ部を通過した後に、前記第１の記録材の次に給送される第２の記録材の先端が前記ニップ部を通過するように、前記載置部に載置された前記第２の記録材を給送させる制御手段を有することを特徴とする。
【手続補正３】
【補正対象書類名】明細書
【補正対象項目名】０００７
【補正方法】変更
【補正の内容】
【０００７】
また、上記の目的を達成するための本発明の給送装置は、載置部に載置された記録材を給送する給送部材と、前記給送部材によって給送された記録材を搬送する第１の搬送部材と、前記搬送部材とニップ部を形成し、前記ニップ部において複数の記録材を分離する分離部材と、前記第１の搬送部材によって搬送された記録材を搬送する第２の搬送部材と、を有する給送装置において、前記給送部材による給送動作を制御して、前記載置部に載置された第１の記録材を給送させ、前記第１の記録材の後端が前記ニップ部を通過する前に、前記第１の記録材の次に給送される第２の記録材が前記第１の記録材と一部重なった状態で、前記第２の記録材の先端が前記ニップ部を通過するように、前記載置部に載置された前記第２の記録材を給送させ、前記第２の記録材の先端が前記ニップ部を通過して前記第２の記録材の先端が前記第２の搬送部材に到達する前に、前記第１の記録材の後端と前記第２の記録材の先端が離れるように、前記給送部材と前記第１の搬送部材による前記第２の記録材の給送動作を停止させ、前記第２の搬送部材によって前記第１の記録材を搬送させる制御手段を有することを特徴とする。